(57)【要約】    【課題】  遊技機とメダル貸し出し機との位置合わせを容易にすると共に、調整機能も付加した位置調整機構を提供する。    【解決手段】  遊技機（スロットマシン１）とメダル貸し出し機２との位置調整を行う位置調整機構４０は、メダル貸し出し機２と遊技機との何れか一方の当接面に設けられた位置決め孔４２と、その位置決め孔４２に対向する他方の当接面に設けられた受け孔４１と、両者を連結する固定部材４３とを備え、位置決め孔４２および受け孔４１の少なくとも何れか一方の形状を、固定部材４３の挿入位置が移動可能となるような形状に形成し、両者を固定部材４３を介して連結することにより、遊技機とメダル貸し出し機２との対応位置関係を相対移動可能にしたことを特徴とする。    【選択図】    図３
2005204897.tif 000002
【特許請求の範囲】
【請求項１】
メダル投入口を有する遊技機と、その遊技機に隣接配置され、遊技機のメダル投入口へメダルを移送するガイドノズルを備えたメダル貸し出し機との位置調整を行う位置調整機構であって、
前記位置調整機構は、メダル貸し出し機と遊技機との何れか一方の当接面に設けられた位置決め孔と、
その位置決め孔に対向する他方の当接面に設けられた受け孔と、
前記位置決め孔および前記受け孔の内部に挿入して、両者を連結する固定部材とを備え、
前記位置決め孔および前記受け孔の少なくとも何れか一方の形状を、前記固定部材の挿入位置が移動可能となるような形状に形成し、
前記位置決め孔及び前記受け孔を前記固定部材を介して連結することにより、前記遊技機と前記メダル貸し出し機との対応位置関係を相対移動可能にしたことを特徴とする位置調整機構。
【請求項２】
前記位置決め孔は、前記遊技機の前後方向に長手方向を有する楕円状に形成されていることを特徴とする請求項１に記載の位置調整機構。
【請求項３】
前記固定部材は、ボルトおよびナットから形成され、そのボルトがナットに嵌合されると共に、ナットの着脱によって、前記遊技機及び前記メダル貸し出し機の対応位置関係を、相対移動可能にしたことを特徴とする請求項１または請求項２に記載の位置調整機構。
【請求項４】
前記位置決め孔の近傍には、前記遊技機およびメダル貸し出し機の位置を前記固定部材の連結によって決める際の調整目安とする目盛りが設けられていることを特徴とする請求項１から請求項３のいずれかに記載の位置調整機構。
【請求項５】
前記位置調整機構は、前記遊技機及び前記メダル貸し出し機ごとに対応可能に複数設けられていることを特徴とする請求項１から請求項４のいずれかに記載の位置調整機構。
【発明の詳細な説明】
【技術分野】
【０００１】
本発明は、メダルを遊技媒体とする遊技機と、その遊技機に隣接して設置されるメダル貸し出し機に関し、特に遊技機とメダル貸し出し機との位置関係の調整を行う技術に関する。
【背景技術】
【０００２】
従来、スロットマシンなどの遊技機でゲームを行う場合にはメダル貸し出し機が使用される。このメダル貸し出し機は内部にホッパ装置が設けられており、紙幣等が投入されるとホッパ装置が駆動して所定枚数のメダルが払い出される。このようなメダル貸し出し機には、メダル受け皿やメダル払い出し用のガイドノズルなどが設けられており、メダル受け皿が設けられているものでは、ホッパ装置からメダル受け皿にメダルが払い出される。
また、ゲームプレーヤーがメダル貸し出し機からメダルを移動する手間を軽減するため、ガイドノズルが設けられたメダル貸し出し機もある。このようなメダル貸し出し機では、ホッパ装置から払い出されたメダルが、ガイドノズルによってスロットマシンの下皿にガイドされて払い出されるタイプと、メダル投入口へ直接ガイドされて払い出されるタイプが存在する（例えば、特許文献１参照）。後者のタイプでは、遊技者が遊技毎にメダルを投入する手間を省く事ができるため、効率良く遊技ができる上、メダル投入によって生じる手の汚れを防止することが可能である。このようなシステムは運営者側にとっても、遊技時間の効率化により収益が増加するため双方にとってのメリットが大きい。
【特許文献１】特開２００３−２１０８２０号公報
【発明の開示】
【発明が解決しようとする課題】
【０００３】
一方、特許文献１に記載する技術が浸透するなか、遊技機とメダル貸し出し機との位置合わせについて、正確さが要求されるようになってきた。つまり、メダルの自動投入を行うためには、メダルが投入される遊技機のメダル投入口とガイドノズルの先端部分との位置合わせをより厳密に行う必要があった。
また、定期的に行われる作業として、遊技機の入れ替え作業がある。これは、通常、遊技機のみの入れ替え作業であり、メダル貸し出し機は入れ替えの対象とならないことが多い。この入れ替え作業においては、遊技機を入れ替える度に遊技機とメダル貸し出し機との位置合わせを再度設定する必要がある。特に、規模の大きな店舗や入れ替える遊技機の台数が膨大になると、その作業量が多くなってしまい大変面倒であった。このため、遊技機とメダル貸し出し機との位置合わせを容易に行うことのできる技術が所望されていた。
【０００４】
さらに、入れ替え作業などにより、新たな遊技機が導入された場合、遊技機の形状や大きさ、メダル投入口の位置によって微妙な誤差が発生する恐れもある。したがって、このような誤差が発生しても位置調整が可能な機能も必要とされていた。
そこで、本発明が解決しようとする課題は、遊技機とメダル貸し出し機との位置合わせを容易にすると共に、調整機能も付加した位置調整機構の技術を提供することにある。
【課題を解決するための手段】
【０００５】
（請求項１）
請求項１記載の発明は、メダル投入口を有する遊技機と、その遊技機に隣接配置され、遊技機のメダル投入口へメダルを移送するガイドノズルを備えたメダル貸し出し機との位置調整を行う位置調整機構であって、前記位置調整機構は、メダル貸し出し機と遊技機との何れか一方の当接面に設けられた位置決め孔と、その位置決め孔に対向する他方の当接面に設けられた受け孔と、前記位置決め孔および前記受け孔の内部に挿入して、両者を連結する固定部材とを備え、前記位置決め孔および前記受け孔の少なくとも何れか一方は、前記固定部材の挿入位置を移動可能な形状に形成され、前記固定部材を、前記位置決め孔及び前記受け孔の少なくとも何れか一方の所定位置に挿入した状態で、前記位置決め孔及び前記受け孔を前記固定部材を介して連結することにより、前記遊技機と前記メダル貸し出し機との対応位置関係を相対移動可能にしたことを特徴とする。
【０００６】
なお、ここで、「前記位置決め孔および前記受け孔の少なくとも何れか一方の形状を、前記固定部材の挿入位置が移動可能となるような形状に形成し、」とは、位置決め孔及び受け孔の両方、或いは、位置決め孔及び受け孔のいずれか一方は、固定部材の挿入位置が、特定の位置に固定されるものではなく、固定部材がその内部を自由に移動できるような形状の大きさに形成されているものや、固定部材の挿入位置が、複数箇所、存在するようなものを含むことを意味するものである。すなわち、挿入する固定部材の挿入箇所の断面積よりも、挿入される位置決め孔および受け孔の少なくとも何れか一方の断面積の方が、固定部材が内部を移動できるほど、大きな断面積を有しているものや、固定部材の断面積を挿入することができるような開口部分が複数箇所、形成されているようなものを含むことを意味する。
【０００７】
また、ここで、「前記遊技機と前記メダル貸し出し機との対応位置関係」とは、遊技機と、メダル貸し出し機との互いの相手に対する位置の関係を意味する。具体的には、例えば、両者を水平な台に、両方の側面同士を隣接させて並べて配置したような場合の両方の正面側方向への前後方向への位置関係を意味するものであって、例えば、遊技機の前面と、メダル貸し出し機の前面とが、略面一となるような位置関係や、遊技機の前面よりも、メダル貸し出し機の前面の方が、後方（奥側）に向かって１０ミリメートル移動した位置で配置するような位置関係を含むものである。
また、ここで、「前記遊技機と前記メダル貸し出し機との対応位置関係を相対移動可能にした」とは、上述したように位置決め孔および受け孔の少なくとも何れか一方の形状を、固定部材の挿入位置が移動可能となるように形成されていることにより、一方を、他方に対して、相対的に移動させて、固定することができて、両者の互いに相手に対する位置関係を、変更させることができることを意味する。
【０００８】
（作用）
請求項１記載の発明によれば、メダル貸し出し機と遊技機との何れか一方の当接面に位置決め孔が設けられ、位置決め孔に対向する他方の当接面に受け孔が設けられている。位置決め孔および受け孔には、これらを連結する固定部材が設けられている。そして、本発明では、位置決め孔および受け孔の少なくとも何れか一方の形状を、固定部材の挿入位置が移動可能となるような形状に形成してあるため、位置決め孔および受け孔の少なくとも何れか一方は、固定部材の挿入位置が特定の位置に固定されるのではなく、固定部材の挿入位置を移動させることができる。すなわち、固定部材を、位置決め孔および受け孔の少なくとも何れか一方の内部において、移動させた後に、前記固定部材で両者を連結することで、遊技機とメダル貸し出し機との両者の対応する位置関係（対応位置関係）を、相対的に移動することができる（相対移動可能となっている）。
【０００９】
このように、メダル貸し出し機および遊技機に設けられた位置決め孔および受け孔の少なくとも何れか一方の固定部材の挿入位置が移動することで、メダル貸し出し機または遊技機の位置調整を行うことができる。したがって、メダルの自動投入機構などのように、メダル貸し出し機および遊技機の厳密な位置調整が必要な場合でも、位置調整を容易に行うことができる。
（請求項２）
請求項２記載の発明は、請求項１に記載の位置調整機構を限定したものであり、前記位置決め孔は、前記遊技機の前後方向に長手方向を有する楕円状に形成されていることを特徴とする。
【００１０】
（作用）
請求項２記載の発明によれば、位置決め孔は、遊技機の前後方向に長手方向を有する楕円状に形成されている。このため、固定部材を、位置決め孔の長手方向の任意の位置に固定することができる。これにより、固定部材を介して、位置決め孔と受け孔とを固定する場合、位置決め孔と受け孔との固定位置を、遊技機の前後方向に変更させることができる。結果として、メダル貸し出し機および遊技機における厳密な位置調整が可能となる。
（請求項３）
請求項３記載の発明は、請求項１または請求項２に記載の位置調整機構を限定したものであり、前記固定部材は、ボルトおよびナットから形成され、そのボルトがナットに嵌合されると共に、ナットの着脱によって、前記遊技機及び前記メダル貸し出し機の対応位置関係を、相対移動可能にしたことを特徴とする。
【００１１】
本発明は、ナットを緩めることで、ボルト及びナットからなる固定部材の挿入位置を変更することができ、遊技機及びメダル貸し出し機の相手に対する位置をずらした後、ナットを締めて、両者を連結固定することにより、結果として、遊技機及びメダル貸し出し機の対応位置関係を、相対的に移動することができるものである。
（作用）
請求項３記載の発明によれば、ナットを着脱によって、遊技機及びメダル貸し出し機の対応位置関係を相対的に移動させることができ、両者の位置調整を容易に行うことができる。
【００１２】
（請求項４）
請求項４記載の発明は、請求項１から請求項３のいずれかに記載の位置調整機構を限定したものであり、前記位置決め孔の近傍には、前記遊技機およびメダル貸し出し機の位置を前記固定部材の連結によって決める際の調整目安とする目盛りが設けられていることを特徴とする。なお、この目盛りは数値などを割り振って位置決めの目安としても良い。
（作用）
請求項４記載の発明によれば、位置決め孔の近傍には、調整目安となる目盛りが設けられている。したがって、遊技機およびメダル貸し出し機の位置をより厳密かつ容易に決めることができる。
【００１３】
（請求項５）
請求項５記載の発明は、請求項１から請求項４のいずれかに記載の位置調整機構を限定したものであり、前記遊技機及び前記メダル貸し出し機ごとに対応可能に複数設けられていることを特徴とする。ここで、「複数」とは、位置調整機構の上下左右を対象に、複数個、設置するようなことを含む。例えば、メダル貸し出し機の上端部および下端部の２箇所に設けるようなものを含む。
（作用）
請求項５記載の発明によれば、位置調整機構が遊技機及び前記メダル貸し出し機ごとに対応可能に複数設けられている。したがって、遊技機およびメダル貸し出し機の位置調整を容易にすることができ、また、遊技機及びメダル貸し出し機の位置の正確さをより向上させることとなる。
【発明の効果】
【００１４】
遊技機とメダル貸し出し機との当接面に設けた位置決め孔と、その位置決め孔に対向して設けた受け孔と、位置決め孔および受け孔を連結する固定部材とを備えている。そして、固定部材は、位置決め孔および受け孔を相対移動が可能とした構造である。これにより、遊技機とメダル貸し出し機との位置合わせを容易に行うと共に、調整機能を付加し、複数の遊技機とメダル貸し出し機との位置合わせを行う際に適正な位置に規則的に素早く調整できる技術を提供することができた。
【発明を実施するための最良の形態】
【００１５】
本発明の実施の形態を、図面に基づき説明する。ここで使用する図面は、図１〜図１１である。図１はスロットマシン及びメダル貸し出し機の設置状態の外観斜視図、図２は、メダル貸し出し機の内部構造を示す外観斜視図、図３は、スロットマシンとメダル貸し出し機とが分離した状態の外観斜視図、図４は、メダル貸し出し機の側面図であり、位置決め孔と固定部材との設置状態を示す外観側面図、図５は、本発明に係る固定部材のバリエーションを示しており、（ａ）はボルト及びナット、（ｂ）は蝶型ナットを示す外観側面図、図６は、位置決め孔に固定部材を固定した状態を示す外観斜視図をそれぞれ示すものである。また、図７から図１１に、本発明の実施の形態に係る固定部材、位置決め孔及び受け孔のその他のバリエーションの概略斜視図を示す。
【００１６】
本実施の形態におけるメダル貸し出し機２は、図１に示すように、スロットマシン１に隣接して設置され、一台のスロットマシンに一機ずつ対応するように設けられている。
（スロットマシン）
スロットマシン１は、筐体および筐体の正面側に取り付けられた前扉５から形成され、正面側には回転リール（図示しない）の図柄を視認可能な図柄表示窓６が形成されている。そして、この図柄表示窓６の下方でありスロットマシン１の略中央部は、スタートスイッチやストップスイッチなどの操作手段が設けられた操作部となっており、操作部の端部には、メダルを投入するためのメダル投入口１０が設けられている。また、スロットマシン１の下部には、払い出されたメダルを貯留可能な払い出しメダル皿７が設けられている。そして、メダル投入口１０からメダルを投入し、スタートスイッチの操作により回転リールを回転させ、ストップスイッチの操作により回転リールを停止させる。このとき、複数の回転リールに表示された図柄が所定の位置態様に停止すると入賞となり、所定枚数のメダルが払い出されるように形成されているものである。なお、本実施形態では木製の筐体を使用している。
【００１７】
（メダル貸し出し機）
メダル貸し出し機２は、スロットマシン１の側面側に隣接して設置された箱型の装置であって、金銭と引き替えにメダルを貸し出し、その貸し出されたメダルを、自動的にスロットマシン１のメダル投入口１０に投入するための装置である。すなわち、メダル貸し出し機２は、外箱２０に、ホッパ装置３０、ガイドノズル２１、メダル補給口２２、紙幣投入口２３およびこれらの作動を制御するための制御装置（図示しない）が内蔵されている。この制御装置は、紙幣カウンターのカウント機能、払い出しメダルのカウント機能、メダルの排出タイミングを計るタイミングセンサなどを備えている。紙幣カウンターは、紙幣投入口２３から投入された紙幣を読み取って、メダル貸し出し機２に所定枚数のメダルを払い出させる機能を制御している。なお、メダル貸し出し機２としては、紙幣投入口２３及び紙幣カウンターの他に、硬貨投入口や硬貨カウンター、釣り銭払い出し口などを有していてもよい。また、プリペイドカード投入口とカードリーダーを有していてもよい。
【００１８】
（ホッパ装置）
ホッパ装置３０は、ガイドノズル２１にメダルを移送する機能を備えている。本実施形態では詳細は図示しないが、メダルを貯留するホッパタンクと、このホッパタンク内に貯留されたホッパ本体とを備え、ホッパタンクから落下したメダルが上方より１枚ずつはまり込む複数個のメダル落とし穴を有し、駆動モータによりメダルを移送する構造を採用している。すなわち、駆動モータの駆動力により回転するロータディスクの回転時に、ロータディスクのメダル落とし穴に落ち込んだメダルは、ロータディスクの回転に伴い一枚ずつメダル排出口からガイドノズル２１に排出されるよう構成されている。このホッパ装置３０はメダル投入口１０よりも高く配置され、メダルの自重により落下していく構成である。
【００１９】
また、メダルの移送構造としてベルト式のホッパ装置としても良い。このベルト式のホッパ装置は、ホッパタンクから落下してきたメダルをメダル排出口より１枚ずつ外部へと排出する構造となっている。そして、駆動モータの駆動力により時計回りに回転する２つのローラ間にベルトが巻き回され、そのローラと対向して半時計回りに回転するメダル送りローラが設けられている。ローラおよびメダル送りローラの間隔部分にベルト上を移動してきたメダルがメダル排出口へ排出される。
（ガイドノズル）
ガイドノズル２１は桶状に形成され、ホッパ装置３０から排出されたメダルをメダル投入口１０に移送するメダル連通路２１ａを備えている。ガイドノズル２１の一端はメダル投入口１０に連結されている。なお、本実施形態では、メダル投入口１０にノズル固定部材１１が固定され、このノズル固定部材１１にガイドノズル２１が連結してメダル移送を可能としている。ノズル固定部材１１は、可動部材（図示しない）が設けられ、ガイドノズル２１の一端と連結されている。可動部材によりガイドノズル２１と固定する一方、可動部材を手前側に可動させることでガイドノズル２１と着脱することができる。つまり、メダル補給時などにより前扉５を開閉する際にガイドノズル２１が邪魔にならないよう配慮されている。
【００２０】
（位置調整機構）
次に、本発明の最大の特徴である位置調整機構について説明する。図２，３に示すように、上記、スロットマシン１およびメダル貸し出し機２は、位置調整機構４０によって互いに連結されている。この位置調整機構４０は、複数箇所に配置されており、スロットマシン１とメダル貸し出し機２との相対的な位置関係を調整するための機能を有している。具体的には、スロットマシン１とメダル貸し出し機２との当接面（Ｆ１，Ｆ２）に設けられた受け孔４１と、その受け孔４１に対向して設けられた位置決め孔４２と、受け孔４１および位置決め孔４２の内部に挿入して、両者を連結する固定部材４３とを備えている。
【００２１】
受け孔４１は、スロットマシン１の側板面Ｆ１の上下２箇所に設けられた略正円状に形成された孔である。この受け孔４１に固定部材４３の一端が嵌合される。
前記位置決め孔４２の形状は、固定部材４３の挿入位置が移動可能となるような形状に形成されている。具体的には、位置決め孔４２は、図４に示すように、メダル貸し出し機２の側板面Ｆ２の上下２箇所に設けられた楕円状に形成された孔であり、遊技機を正面から見たときの側面板Ｆの前後方向に長手方向を有する楕円状に形成されている。このため、固定部材４３は位置決め孔４２に連結した状態で、位置決め孔の長手方向に移動できる構造である。このように、位置決め孔４２は、位置決め孔４２への固定部材４３の挿入位置が前後方向に移動可能となるような前後方向に長手方向を有する長孔状に形成されているため、位置決め孔４２及び受け孔４１を、固定部材４３を介して連結することにより、スロットマシン１とメダル貸し出し機２との対応する位置関係を、相対的に移動可能にしているものである。
【００２２】
また、位置決め孔４２の上部には目盛り４４が設けられている。目盛り４４は、位置決め孔４２の長手方向に分割して設けられ、固定部材４３を移動させてスロットマシン１とメダル貸し出し機２との位置調整を行う上での目安とすることができる。
なお、本明細書中で、遊技機を正面側から見たときの前後方向や、奥側方向や、手前側方向というのは、遊技機の前面に遊技者が遊技を行うような状態で遊技機側に向かって座った状態から遊技機を見たときの前後方向や、奥側方向や、手前側方向を意味するものである。
固定部材４３は、メダル貸し出し機２に固定され、突起部材４３ａと回転部材４３ｂとから形成されている。回転部材４３ｂはメダル貸し出し機２の内部から手動で回転させることができ、回転部材４３ｂを回転させると固定部材４３が緩まるため、位置決め孔４２の長手方向に移動させることができる。また、固定部材４３の形状としては、図５（ａ）に示すようなボルト４４およびナット４５として形成した固定部材４６としても良い。固定部材４６は、ボルト４４がナット４５に嵌合されることによりスロットマシン１とメダル貸し出し機２とを連結する構造であり、この点は固定部材４３と同様である。但し、固定部材４６は、ナット４５を手動で回すことが可能な構造であり、ナット４５を一方に回すと締まり、他方に回すと緩めることができる。したがって、ナット４５を緩めることで固定部材４６が移動可能となり、位置調整を行うことになる。また、ナット４５は図５（ｂ）に示すような蝶型ナット４５ｂとしても良い。蝶型ナット４５ｂは、複数の把持部Ｈ（本実施形態では二箇所）を有しており、蝶型ナット４５ｂを手動で回す際に、手で掴みやすいように配慮されている。
【００２３】
次に本発明の作用を説明する。まず、スロットマシン１およびメダル貸し出し機２を所定の位置に配置する。そして、ノズル固定部材１１とガイドノズル２１との位置合わせを行う。この位置は目盛り５０で確認しておく。次に、スロットマシン１の受け穴４１とメダル貸し出し機２の位置決め穴４２との連結を行う。位置決め孔４２に固定部材４３（４６）を固定するが、これは予め取り付けられていても良い。この固定部材４３をノズル固定部材１１とガイドノズル２１との位置合わせで計測した目盛り５０の位置に合わせて固定する。固定方法は、メダル貸し出し機２の内部から回転部材４３ｂを回して締める。そして、受け孔４１に固定部材４３を連結すると、スロットマシン１とメダル貸し出し機２が連結される。
【００２４】
位置調整については、メダル貸し出し機２の内部から回転部材４３ｂを緩めることで行う。例えば、図４において、固定部材４３を目盛り５０の右側に移動させればスロットマシン１は前方に移動し、メダル貸し出し機２は後方に移動することになる。すなわち、固定部材４３は位置決め孔４２内を移動させることができるため、相対的な移動が可能となる。このように、位置決め孔４２及び受け孔４１を固定部材４３を介して連結することにより、スロットマシン１とメダル貸し出し機２との対応する位置関係（対応位置関係）を相対的に移動可能にしているものである。したがって、スロットマシン１を入れ替えるとメダル貸し出し機２との位置合わせを再度設定する必要があるが、この作業が容易になる。また、異なるメーカのスロットマシン１を導入すれば、その形状や大きさ、メダル投入口の位置などは様々であり微妙な誤差が発生するが、本発明の位置調整機構４０では位置調整が可能となるため、利便性に優れている。
【００２５】
通常、遊技ホールでは、遊技機の設置は、開店する際だけではなく、新台入れ替えと称して、１０台以上の同一機種の遊技機を、一度にまとめて、設置する機会が頻繁にある。かかる場合に、上述したように、先ず、最初に１台の遊技機とメダル貸し出し機との位置関係を設定する。その際、最初に設定した固定部材４３の位置決め孔４２の長手方向の位置を、目盛り５０により、確認しておく。そして、残りの遊技機に隣接するメダル貸し出し機の固定部材４３を、かかる目盛り位置に合わせて、位置決め孔４２の長手方向の所定位置に固定する。そして、残りの新たに設置する遊技機の位置決め作業は、遊技機の受け孔４１が固定部材４３に嵌り込むような位置に遊技機を配置するだけで完了させることができる。これにより、複数台の同一機種の位置決め作業を簡単なものにすることができ、遊技ホールにおける新台入れ替えの作業を簡単なものにすることができる。
【００２６】
なお、本実施形態の位置調整機構４０は、受け孔４１をスロットマシン１に位置決め孔４２をメダル貸し出し機２にそれぞれ設けているが、これらは反対に設置することもできる。すなわち、受け孔４１をメダル貸し出し機に形成して、位置決め孔４２をスロットマシン１に設けても良いものであって、固定部材４３が受け孔４１または位置決め孔４２を相対移動可能な構成であれば良く、本実施形態に限定されることはない。また、固定部材４３（４６）は、スロットマシン１とメダル貸し出し機２とを連結し、位置決め孔４２を移動できる構成であれば良く、その形状を問うものでない。但し、本実施形態の蝶型ナット４５ｂの把持部Ｈのように手動での操作性を向上させることで、位置調整が容易となる。
【００２７】
（その他のバリエーション）
図７から図１１は、本実施の形態に係る固定部材、位置決め孔及び受け孔のその他のバリエーションの概略斜視図をそれぞれ示すものである。なお、図７から図１１の固定部材４６は、ボルト４４及びナット４５を備えているものである。
図７に示すのは、メダル貸し出し機２の位置決め孔４２と、スロットマシン１の受け孔４１との両方の形状を、固定部材４６の挿入位置が移動可能となるような形状に形成しているものである。すなわち、位置決め孔４２及び受け孔４１のいずれも横方向に長手方向を有する長孔状に開口するような形状に形成されている。そして、位置決め孔４２及び受け孔４１は、いずれも、高さ方向には同一高さに形成されている。位置決め孔４２及び受け孔４１の両方が前後方向に長手方向を有する長孔から形成されているため、スロットマシン１と、メダル貸し出し機との対応位置関係を相対的に前後方向に移動させることができる。そして、スロットマシン１と、メダル貸し出し機２とを、前後方向に大きくずらして配置するような場合にも、位置調整が容易なものである。
【００２８】
図８に示すのは、メダル貸し出し機２の位置決め孔４２と、スロットマシン１の受け孔４１とのうち、受け孔４１の形状を、固定部材４６の挿入位置が移動可能となるような長孔状の形状に形成しているものである。すなわち、位置決め孔４２は、固定部材４６のボルト４４が挿入可能だが、ボルト４４の断面形状より僅かに大きな円形状のものが１個形成されている。一方、受け孔４１は、横方向に長手方向を有する長孔状に開口するように形成されている。そして、位置決め孔４２及び受け孔４１は、いずれも、高さ方向には同一高さに形成されている。このように、受け孔４１が前後方向に長手方向を有する長孔から形成されているため、位置決め孔４２に挿入されたボルト４４は、受け孔４１内部を移動することができ、スロットマシン１と、メダル貸し出し機との対応位置関係を相対的に移動させることができる。そして、スロットマシン１と、メダル貸し出し機２とを、前後方向にずらして配置するような場合にも、位置調整が容易なものである。
【００２９】
図９に示すのは、メダル貸し出し機２の位置決め孔４２と、スロットマシン１の受け孔４１とのうち、位置決め孔４２及び受け孔４１の形状は、ボルト４４の径より僅かに大きく、ボルト４４が挿入可能な円形状に形成されているが、かかる受け孔４１を高さ方向の同一位置であって、前後方向に複数個（４個）、所定間隔に離した状態で配列しているものである。一方、位置決め孔４２は、メダル貸し出し機２の側面に、ボルト４４の径より僅かに大きく、ボルト４４が挿入可能な円形状のものが１個、形成されている。４個の円形状の受け孔４１が前後方向に配列しているため、位置決め孔４２に挿入されたボルト４４は、４個並んだいずれの受け孔４１に挿入するかによって、遊技機と、メダル貸し出し機との対応位置関係を相対的に移動させることができる。そして、スロットマシン１と、メダル貸し出し機２とを、前後方向にずらして配置するような場合にも、位置調整を容易にすることが可能なものである。
【００３０】
図１０に示すのは、メダル貸し出し機２の位置決め孔４２と、スロットマシン１の受け孔４１とのうち、位置決め孔４２の形状は、ボルト４４の径より僅かに大きく、ボルト４４が挿入可能な円形状に形成されている。一方、受け孔４１は、横方向に長手方向を有する長孔状に形成されているものが、高さ方向の縦方向に複数個（４個）、所定間隔に離して並べて配置されている。この受け孔４１は、前後方向に長手方向を有する長孔状に形成されているため、位置決め孔４２に挿入したボルト４４を、受け孔４２内部で前後方向に移動させて固定することが可能である。さらに、長孔状の受け孔４１が４個、縦方向に並べて配置されているため、位置決め孔４２に挿入したボルト４４を、高さ方向の異なる位置のいずれかの受け孔に挿入することが可能となる。これにより、位置決め孔４２に挿入されたボルト４４を、縦方向に４個並んだいずれの受け孔４１に挿入するかによって、遊技機と、メダル貸し出し機との対応位置関係を相対的に移動させることができる。そして、スロットマシン１と、メダル貸し出し機２とを、前後方向にずらして配置することに加えて、上下方向にずらして配置することも容易なものである。
【００３１】
図１１に示すのは、メダル貸し出し機２の位置決め孔４２と、スロットマシン１の受け孔４１とのうち、位置決め孔４２の形状は、ボルト４４の径より僅かに大きく、ボルト４４が挿入可能な円形状に形成されている。一方、受け孔４１は、横方向に長手方向を有する長孔状のものと、縦方向に長手方向を有する長孔状のものとが重なるようにしてできた十字状に開口するように形成されているものが１個、配置されている。この受け孔４１は、かかる十字状に形成されているため、位置決め孔４２に挿入したボルト４４を、受け孔４２内部で、前後方向に加えて、上下方向にも、移動させて固定することが可能である。これにより、位置決め孔４２に挿入されたボルト４４を、十字状の前後或いは上下方向の部分に移動させることにより、遊技機と、メダル貸し出し機との対応位置関係を相対的に移動させることができる。そして、スロットマシン１と、メダル貸し出し機２とを、前後方向にずらして配置することに加えて、上下方向にもずらして配置することを容易に行うことができる。
【図面の簡単な説明】
【００３２】
【図１】スロットマシン及びメダル貸し出し機の設置状態を示す外観斜視図である。
【図２】スロットマシンとメダル貸し出し機との連結状態を示す外観斜視図である。
【図３】スロットマシンとメダル貸し出し機とが分離した状態の外観斜視図である。
【図４】メダル貸し出し機の側面図であり、位置決め孔と固定部材との設置状態を示す図である。
【図５】本発明に係る固定部材のバリエーションを示しており、（ａ）はボルト及びナット、（ｂ）は蝶型ナットを示す外観側面図である。
【図６】位置決め孔に固定部材を固定した状態を示す外観斜視図である。
【図７】本発明に係る固定部材、位置決め孔及び受け孔のバリエーションを示す概略斜視図である。
【図８】本発明に係る固定部材、位置決め孔及び受け孔のバリエーションを示す概略斜視図である。
【図９】本発明に係る固定部材、位置決め孔及び受け孔のバリエーションを示す概略斜視図である。
【図１０】本発明に係る固定部材、位置決め孔及び受け孔のバリエーションを示す概略斜視図である。
【図１１】本発明に係る固定部材、位置決め孔及び受け孔のバリエーションを示す概略斜視図である。
【符号の説明】
【００３３】
１  スロットマシン
２  メダル貸し出し機
５  前扉
６  図柄表示窓
７  払い出しメダル皿
１０  メダル投入口
１１  ノズル固定部材
２０  外箱
２１  ガイドノズル
２１ａ  メダル連通路
２２  メダル補給口
２３  紙幣投入口
３０  ホッパ装置
４０  位置調整機構
４１  受け孔
４２  位置決め孔
４３，４６  固定部材
４３ａ  突起部材
４３ｂ  回転部材
４４  ボルト
４５  ナット
４５ｂ  蝶型ナット
５０  目盛り
Ｆ１，Ｆ２  側板面
Ｈ  把持部
【図１】
2005204897.tif 000003
【図２】
2005204897.tif 000004
【図３】
2005204897.tif 000005
【図４】
2005204897.tif 000006
【図５】
2005204897.tif 000007
【図６】
2005204897.tif 000008
【図７】
2005204897.tif 000009
【図８】
2005204897.tif 000010
【図９】
2005204897.tif 000011
【図１０】
2005204897.tif 000012
【図１１】
2005204897.tif 000013